(57)【要約】      （修正有）【課題】シェーピングユニットを用いてグリーンタイヤをシェーピングさせるに際し、タイヤ円筒部材を均等に膨張させることができるタイヤシェーピング技術を提供する。【解決手段】左右のクランプホーマ５，６に設けたビードロック装置５２，６２によりグリーンタイヤ円筒部材９３のビード部材９５，９５をロックさせる。次に第二ガス流路５４からブラダー４とグリーンタイヤ円筒部材９３との間に加圧流体を供給させてグリーンタイヤ円筒部材９３を予め膨張させる。次に、第一ガス流路５３を介してガスポート４２からブラダー４の内部にシェーピングガスを供給させてブラダー４を膨張させると共に、第二ガス流路５４から加圧流体を排出させてブラダー４をグリーンタイヤ円筒部材９３の内面に密着させる。【選択図】図９
2010179561.tif 000002
【特許請求の範囲】
【請求項１】
ブラダー（４）の内部にシェーピングガスを給気又は排気させるためのガスポート（４２）が形成されたシェーピングユニット（Ｂ）と、前記シェーピングユニット（Ｂ）にグリーンタイヤ円筒部材（９３）を装着させるための左右のクランプホーマ（５），（６）と、を備え、
前記左右のクランプホーマ（５），（６）に、それぞれグリーンタイヤ円筒部材（９３）のビード部材（９５），（９５）をロックさせるためのビードロック装置（５２），（６２）が設けられているタイヤシェーピング装置において、
前記クランプホーマ（５），（６）に、シェーピングユニット（Ｂ）のガスポート（４２）に連結してブラダー（４）の内部にシェーピングガスを給気させる第一ガス流路（５３）が形成されると共に、ブラダー（４）とグリーンタイヤ円筒部材（９３）との間に加圧流体を供給又は排出させる第二ガス流路（５４）が形成されていることを特徴とするタイヤシェーピング装置。
【請求項２】
請求項１記載のタイヤシェーピング装置を使用したタイヤシェーピング方法であって、
左右のクランプホーマ（５），（６）に設けたビードロック装置（５２），（６２）によりグリーンタイヤ円筒部材（９３）のビード部材（９５），（９５）をロックさせ、
次に、第二ガス流路（５４）からブラダー（４）とグリーンタイヤ円筒部材（９３）との間に加圧流体を供給させてグリーンタイヤ円筒部材（９３）を予め膨張させ、
次に、第一ガス流路（５３）を介してガスポート（４２）からブラダー（４）の内部にシェーピングガスを供給させてブラダー（４）を膨張させると共に、前記第二ガス流路（５４）から加圧流体を排出させてブラダー（４）をグリーンタイヤ円筒部材（９３）の内面に密着させることを特徴とするタイヤシェーピング方法。
【請求項３】
請求項１記載のタイヤシェーピング装置を使用したタイヤシェーピング方法であって、
左右のクランプホーマ（５），（６）に設けたビードロック装置（５２），（６２）によりグリーンタイヤ円筒部材（９３）のビード部材（９５），（９５）をロックさせ、
次に、第二ガス流路（５４）からブラダー（４）とグリーンタイヤ円筒部材（９３）との間に加圧流体を供給させてグリーンタイヤ円筒部材（９３）を膨張させながら、第一ガス流路（５３）を介してガスポート（４２）からブラダー（４）の内部にシェーピングガスを供給させてブラダー（４）を膨張させると共に、前記第二ガス流路（５４）から加圧流体を排出させてブラダー（４）をグリーンタイヤ円筒部材（９３）の内面に密着させることを特徴とするタイヤシェーピング方法。
【発明の詳細な説明】
【技術分野】
【０００１】
本発明は、ブラダーを有するシェーピングユニットを用いてグリーンタイヤをシェーピングさせるためのタイヤシェーピング装置及びタイヤシェーピング方法に関し、特に、ブラダーをグリーンタイヤの内面に密着させるための技術に関する。
【背景技術】
【０００２】
従来、ブラダーを有するシェーピングユニットを用いたタイヤシェーピング技術が知られている（特許文献１参照）。
この従来技術は、ブラダーを有するシェーピングユニットと、このシェーピングユニットにグリーンタイヤ円筒部材（以下「タイヤ円筒部材」という）を装着させるための左右のクランプホーマと、を備え、この左右のクランプホーマにそれぞれビードロック装置が設けられると共に、前記シェーピングユニットのブラダー内部にシェーピングガスを給気させるためのガス流路が形成されたものとなっていた。
【０００３】
そして、シェーピングに際しての手順は、まず、左右のクランプホーマに設けたビードロック装置によりタイヤ円筒部材のビード部をロックさせる。
次に、ガス流路を介してガスポートからブラダーの内部にシェーピングガスを供給させることでブラダーを膨張させ、このブラダーの膨張によりタイヤ円筒部材を押し広げて膨らませていくものであった。
【先行技術文献】
【特許文献】
【０００４】
【特許文献１】特許公開２００７−９８８０３号公報
【発明の概要】
【発明が解決しようとする課題】
【０００５】
しかしながら、上記したような従来のタイヤシェーピング技術にあっては、ブラダーの膨張を利用して間接的にタイヤ円筒部材を膨らませていくため、タイヤ円筒部材を均等に膨張させる上で問題を残していた。
即ち、ブラダーを介してタイヤ円筒部材を膨張させる場合、タイヤ円筒部材とブラダーとの接触部分の摩擦抵抗が均一とは限らず、また、ブラダー自体の伸長も均一とは限らないため、部分的に過剰な伸長力を与えてしまい、本来均等に膨張させるべきタイヤ円筒部材に膨張ムラが生じ、タイヤの品質低下を招いてしまう。
【０００６】
また、シェーピングユニットを用いた場合、ブラダーの両端をクランプリングに取り付けるため、構造上タイヤ円筒部材のビード部近傍にはブラダーを配置させることができず、このビード部近傍ではブラダーとの接触ができない部分が生じる。
そうなると、ブラダーと接触しているとタイヤ円筒部材の中央部分と、ブラダーとの接触ができないビード部近傍とでは均等な伸長ができない。
【０００７】
本発明は、上記の問題を解決するためになされたもので、シェーピングユニットを用いてグリーンタイヤをシェーピングさせるに際し、タイヤ円筒部材を均等に膨張させることができるタイヤシェーピング装置及びタイヤシェーピング方法を提供することを課題としている。
【課題を解決するための手段】
【０００８】
上記の課題を解決するために、本発明（請求項１）のタイヤシェーピング装置は、
ブラダー（４）の内部にシェーピングガスを給気又は排気させるためのガスポート（４２）が形成されたシェーピングユニット（Ｂ）と、前記シェーピングユニット（Ｂ）にグリーンタイヤ円筒部材（９３）を装着させるための左右のクランプホーマ（５），（６）と、を備え、
前記左右のクランプホーマ（５），（６）に、それぞれグリーンタイヤ円筒部材（９３）のビード部材（９５），（９５）をロックさせるためのビードロック装置（５２），（６２）が設けられているタイヤシェーピング装置において、
前記クランプホーマ（５），（６）に、シェーピングユニット（Ｂ）のガスポート（４２）に連結してブラダー（４）の内部にシェーピングガスを給気させる第一ガス流路（５３）が形成されると共に、ブラダー（４）とグリーンタイヤ円筒部材（９３）との間に加圧流体を供給又は排出させる第二ガス流路（５４）が形成されている構成とした。
【０００９】
又、本発明（請求項２）のタイヤシェーピング方法は、
請求項１記載のタイヤシェーピング装置を使用したタイヤシェーピング方法であって、
左右のクランプホーマ（５），（６）に設けたビードロック装置（５２），（６２）によりグリーンタイヤ円筒部材（９３）のビード部材（９５），（９５）をロックさせ、
次に、第二ガス流路（５４）からブラダー（４）とグリーンタイヤ円筒部材（９３）との間に加圧流体を供給させてグリーンタイヤ円筒部材（９３）を予め膨張させ、
次に、第一ガス流路（５３）を介してガスポート（４２）からブラダー（４）の内部にシェーピングガスを供給させてブラダー（４）を膨張させると共に、前記第二ガス流路（５４）から加圧流体を排出させてブラダー（４）をグリーンタイヤ円筒部材（９３）の内面に密着させる構成とした。
【００１０】
又、本発明（請求項３）のタイヤシェーピング方法は、
請求項１記載のタイヤシェーピング装置を使用したタイヤシェーピング方法であって、
左右のクランプホーマ（５），（６）に設けたビードロック装置（５２），（６２）によりグリーンタイヤ円筒部材（９３）のビード部材（９５），（９５）をロックさせ、
次に、第二ガス流路（５４）からブラダー（４）とグリーンタイヤ円筒部材（９３）との間に加圧流体を供給させてグリーンタイヤ円筒部材（９３）を膨張させながら、第一ガス流路（５３）を介してガスポート（４２）からブラダー（４）の内部にシェーピングガスを供給させてブラダー（４）を膨張させると共に、前記第二ガス流路（５４）から加圧流体を排出させてブラダー（４）をグリーンタイヤ円筒部材（９３）の内面に密着させる構成とした。
【発明の効果】
【００１１】
本発明（請求項１）のタイヤシェーピング装置は、ブラダーとグリーンタイヤ円筒部材との間に加圧流体を供給又は排出させる第二ガス流路を形成させた構成に特徴がある。
【００１２】
そして、本発明（請求項２）のタイヤシェーピング方法は、グリーンタイヤのシェーピングに際し、前記第二ガス流路からブラダーとグリーンタイヤ円筒部材との間に加圧流体を供給させてグリーンタイヤ円筒部材を予め膨張させておき、次に、第一ガス流路を介してガスポートからブラダーの内部にシェーピングガスを供給させてブラダーを膨張させる構成に特徴がある。
【００１３】
このように、本発明（請求項２）はブラダーをシェーピングガスによって膨張させる前に、予めグリーンタイヤ円筒部材を膨張させておくもので、ブラダーの膨張を利用して間接的にタイヤ円筒部材を膨らませていく従来技術とは異なり、第二ガス流路からの加圧流体によって直接的にタイヤ円筒部材を膨らませていくため、ブラダーによる影響を排除し、タイヤ円筒部材を均等に膨らませていくことができる。
これによりタイヤ円筒部材に膨張ムラが生じることがなくなり、タイヤの品質を向上させることができる。
【００１４】
また、本発明（請求項３）のタイヤシェーピング方法は、グリーンタイヤのシェーピングに際し、前記第二ガス流路からブラダーとグリーンタイヤ円筒部材との間に加圧流体を供給させてグリーンタイヤ円筒部材を膨張させながら、第一ガス流路を介してガスポートからブラダーの内部にシェーピングガスを供給させてブラダーを膨張させる構成に特徴がある。
【００１５】
このように、本発明（請求項３）はグリーンタイヤ円筒部材を膨張させながら同時にブラダーをシェーピングガスによって膨張させていくため、グリーンタイヤ円筒部材を膨張させておいてからブラダーをシェーピングガスによって膨張させる前記請求項２のタイヤシェーピング方法に比べ、ブラダー（４）をグリーンタイヤ円筒部材（９３）の内面に密着させるまでの時間を短縮させることができる。
【図面の簡単な説明】
【００１６】
【図１】本発明のタイヤシェーピング装置の１例を示す断面図。
【図２】シェーピングユニットのブラダーを伸長位置にした状態の断面図。
【図３】シェーピングユニットのブラダーをシェーピング位置にした状態の断面図。
【図４】シェーピングユニットを加硫機本体の下部コンテナにセットさせた状態の断面図。
【図５】本発明のタイヤシェーピング方法の第１例を示す工程図（ステップ１）。
【図６】本発明のタイヤシェーピング方法の第１例を示す工程図（ステップ２）。
【図７】本発明のタイヤシェーピング方法の第１例を示す工程図（ステップ３）。
【図８】本発明のタイヤシェーピング方法の第１例を示す工程図（ステップ４）。
【図９】本発明のタイヤシェーピング方法の第１例を示す工程図（ステップ５）。
【図１０】本発明のタイヤシェーピング方法の第１例を示す工程図（ステップ６）。
【図１１】本発明のタイヤシェーピング方法の第１例を示す工程図（ステップ７）。
【図１２】本発明のタイヤシェーピング方法の第１例を示す工程図（ステップ８）。
【図１３】本発明のタイヤシェーピング方法の第１例を示す工程図（ステップ９）。
【図１４】本発明のタイヤシェーピング方法の第２例を示す工程図（ステップ１）。
【図１５】本発明のタイヤシェーピング方法の第２例を示す工程図（ステップ２）。
【図１６】本発明のタイヤシェーピング方法の第２例を示す工程図（ステップ３）。
【図１７】本発明のタイヤシェーピング方法の第２例を示す工程図（ステップ４）。
【図１８】本発明のタイヤシェーピング方法の第２例を示す工程図（ステップ５）。
【図１９】本発明のタイヤシェーピング方法の第２例を示す工程図（ステップ６）。
【図２０】本発明のタイヤシェーピング方法の第２例を示す工程図（ステップ７）。
【図２１】本発明のタイヤシェーピング方法の第２例を示す工程図（ステップ８）。
【図２２】本発明のタイヤシェーピング方法の第２例を示す工程図（ステップ９）。
【発明を実施するための形態】
【００１７】
本実施例のタイヤシェーピング装置は、図１に示すように、シェーピングユニットＢと、左右のクランプホーマ５，６と、を備えている。
【００１８】
前記シェーピングユニットＢには、図４で示す加硫機本体Ａの外部でグリーンタイヤＣが装着され、そのグリーンタイヤＣを装着した状態で前記加硫機本体Ａにセットされるものである。
【００１９】
シェーピングユニットＢは、図１、図２及び図３に示すように、拡縮可能な筒状ゴムによるブラダー４と、このブラダー４の上端部（図１では右側端）を固定する上部クランプリング４０と、ブラダー４の下端部（図１では左側端）を固定する下部クランプリング４１と、ブラダー４の内部にシェーピングガスを給気又は排気させるためのガスポート４２を備え、前記上部クランプリング４０と下部クランプリング４１がスプリング４３により常時は離反方向に付勢された状態で、近接離反可能に支持されている。
【００２０】
上部クランプリング４０と下部クランプリング４１は、その対向間隔を離反させて前記ブラダー４の外径がグリーンタイヤＣの内径よりも小径になるようにブラダーを伸長させた位置で（図２に示す位置）、係止部４４によって係止されるように形成されている。
また、上部クランプリング４０と下部クランプリング４１は、その対向間隔を近接させて前記ブラダー４の外周面をグリーンタイヤＣの内周面に密着させるようにしたシェーピング位置（図３に示す位置）に係止部４５によって係止されるように形成されている。
【００２１】
前記ガスポート４２は、前記下部クランプリング４１（上部クランプリング４０でもよい）に設けられ、内圧の漏れを防止するためのチェッキ弁が組み込まれており、外部からの解除がなければ、内部の加圧流体を排出することができない構造になっている。
【００２２】
タイヤシェーピングに際しては、シェーピングユニットＢ上でグリーンタイヤＣをシェーピングさせていくもので、この際に左右のクランプホーマ５，６を用いるものである。
【００２３】
なお、グリーンタイヤＣを成形するための中間部材としてタイヤ円筒部材９３とビード部材９５，９５が分かれているもの（後述するタイヤシェーピング方法の第一例）、タイヤ円筒部材９１にビード９０，９０が一体に組み立てられているもの（後述するタイヤシェーピング方法の第二例）が有り、本発明で言う「タイヤ円筒部材」には、この両者を含むものとする。
【００２４】
前記左側クランプホーマ５は前記シェーピングユニットＢの下部クランプリング４１に対して着脱可能に形成され、右側クランプホーマ６は前記上部クランプリング４０に対して着脱可能に形成され、かつ左右のクランプホーマ５，６は同一の軸線Ｅ上に配置されている。
この左右のクランプホーマ５，６は、図示省略した移動装置によって対向方向に移動できると共に、図示省略した回転装置によって自転できるようになっている。
【００２５】
前記左右のクランプホーマ５，６には、クランプロッド５１，６１と、ビードロック装置５２，６２が設けられ、一方の左側クランプホーマ５にはシェーピングユニットＢのガスポート４２に連結してブラダー４の内部にシェーピングガスを給気させる第一ガス流路５３が形成され、また、他方の右側クランプホーマ６にはブラダー４とタイヤ円筒部材９３（又はタイヤ円筒部材９１）との間に加圧流体を供給又は排出させる第二ガス流路５４が形成されている。
この場合、第二ガス流路５４からの加圧流体が漏れないように、必要箇所にシール構造を設ける必要がある。
【００２６】
前記クランプロッド５１，６１は、クランプホーマ５，６とシェーピングユニットＢを着脱可能に連結させるためのもので、シェーピングユニットＢのクランプリング４１，４０に形成したクランプ溝４６，４７に係合離脱するようになっている。
【００２７】
前記ビードロック装置５２，６２は、前記シェーピングユニットＢのブラダー４の外周にセットしたタイヤ円筒部材９３のビード部材９５（又はタイヤ円筒部材９１のビード９０，９０）をシェーピング位置でロックさせるためのものである。
このビードロック装置５２，６２は、内部に流体圧で移動するシリンダ５５，６５が組み込まれ、このシリンダ５５，６５に、円周方向に複数配置されたロック爪５６，６６がリンク５７，６７によって連結された構造に形成されている。
そして、シリンダ５５，６５の進出動作でロック爪５６，６６が外周放射方向に突出してビード部材９５，９５（又はビード９０，９０）を係合保持させ、シリンダ５５，６５の後退動作でロック爪５６，６６が後退してビード部材９５，９５への係合を解除させるようになっている。
【００２８】
前記加硫機本体Ａは、図４に示すように、ボルスタプレート１にインシュレータボルスタ１０及びボルスタプラテン１１を介して取り付けられた上部コンテナ１２と、ボトムプレート２にインシュレータボトム２０及びボトムプラテン２１を介して取り付けられた下部コンテナ２２とを有し、前記ボルスタプレート１とボトムプレート２が垂直方向に相対移動するように支持されている。
実施例では、ボトムプレート２は固定され、ボルスタプレート１は図示省略した本体シリンダにより昇降するようになっている。
【００２９】
前記上部コンテナ１２は、ボルスタプレート１に昇降シリンダ１３が取り付けられ、この昇降シリンダ１３に複数に分割されたセグメントモールド１４が取り付けられ、前記昇降シリンダ１３による昇降に伴い、セグメントモールド１４が拡縮ガイド１５に沿って放射方向に拡縮するように形成されている。
この上部コンテナ１２の中央部には上部ビード支持リング１６が設けられ、この上部ビード支持リング１６は、シェーピングユニットＢをシェーピング状態で加硫機本体Ａにセットさせたときに、グリーンタイヤＣの上側ビード部Ｃ１を保持する。
【００３０】
前記下部コンテナ２２は、前記セグメントモールド１４との間でシェーピングユニットＢを保持するようにボトムプレート２に取り付けられ、その中央部に下部ビード支持リング２３が設けられている。
この下部ビード支持リング２３は、シェーピングユニットＢをシェーピング状態で加硫機本体Ａにセットさせたときに、グリーンタイヤＣの下側ビード部Ｃ２を保持する。
【００３１】
前記下部コンテナ２２の中心には、中心機構３が設けられ、この中心機構３には、シェーピングユニットＢを固定させるためのクランプロッド３２と、シェーピングユニットＢのガスポート４２に連通する流体流路３３とが設けられている。
【００３２】
次に、グリーンタイヤＣを構成するための中間部材としてタイヤ円筒部材９３とビード部材９５，９５とベルト部材９２を用い、タイヤ円筒部材９３とビード部材９５とが分かれている場合のタイヤシェーピング方法（請求項２に対応する）の第１例を図５〜図１３の工程図により説明する。
【００３３】
（図５：ＳＴＥＰ１）
ブラダー４を伸長状態にしたシェーピングユニットＢを加硫機本体Ａから図示省略した移載装置によって左右のクランプホーマ５，６の間に移動させ、左側クランプホーマ５をシェーピングユニットＢの下部クランプリング４１にクランプロッド５１をクランプ溝４６に係合させることで連結させる。
【００３４】
（図６：ＳＴＥＰ２）
左側クランプホーマ５をシェーピングユニットＢに連結させたのち、シェーピングユニットＢのブラダー４の外周に、別工程で組み立てられたタイヤ円筒部材９３とビード部材９５，９５とベルト部材９４とを移動させる。
【００３５】
（図７：ＳＴＥＰ３）
右側クランプホーマ６をシェーピングユニットＢに連結させる。
【００３６】
（図８：ＳＴＥＰ４）
左右のクランプホーマ５，６に設けたビードロック装置５２，６２によって、ビード部材９５，９５を内側からロックさせる。
【００３７】
（図９：ＳＴＥＰ５）
次に、第二ガス流路５４からブラダー４とタイヤ円筒部材９３との間に加圧流体を供給させてタイヤ円筒部材９３を予め膨張させる。
このようにして膨張したタイヤ円筒部材９３は、ベルト部材９４に当接する。
【００３８】
（図１０：ＳＴＥＰ６）
次に、第一ガス流路５３から流体ポート４２を通してブラダー４内にシェーピングガスを供給させると共に、前記第二ガス流路５４から加圧流体を排出させる。
【００３９】
このように、ブラダー４をシェーピングガスによって膨張させる前に、第二ガス流路５４からの加圧流体によって直接的にタイヤ円筒部材９３を予め膨らませておくものである。
これによりブラダー４をタイヤ円筒部材９３の内面に確実に密着させてタイヤ円筒部材９１を均等に膨らませていくことができる。
【００４０】
（図１１：ＳＴＥＰ７）
次に左右のクランプホーマ５，６を回転装置により自転させてベルト部材９４をステッチャー８（円盤状の部材押し当て装置）で押し当てることにより、膨らんでいるタイヤ円筒部材９３と一体化させながら外形を整えていく。
次に、ビード部材９５，９５の外側のタイヤ円筒部材９３をターンアップ手段（ターンアップブラダー、メカニカルターンアップ等）によりターンアップさせて側面に貼り付けた後、ステッチャー８で押し当てて成形する。
なお、先にタイヤ円筒部材９３をターンアップさせてステッチさせ、次にベルト部材９４を持ってきてタイヤ円筒部材９３を膨らませ、内側から貼り付けてステッチする方法もある。
【００４１】
（図１２：ＳＴＥＰ８）
以上のようにしてタイヤ円筒部材９３とベルト部材９４とビード部材９５，９５をシェーピングユニットＢ上でグリーンタイヤＣとして組み立てていきながら同時にシェーピングすることができる。
【００４２】
（図１３：ＳＴＥＰ９）
以後は、ビードロック装置５２，６２を解除させたのち、右側クランプホーマ６をシェーピングユニットＢから分離させ、そのシェーピングユニットＢを移載装置に連結させる。
次に、移載装置によりシェーピングユニットＢを掴んだ状態で、左側クランプホーマ５をシェーピングユニットＢから分離させ、その後、図４に示すように移載装置によりシェーピングユニットＢを加硫機本体Ａに移動させる。
【００４３】
なお、グリーンタイヤＣを加硫成形させた後は、シェーピングユニットＢから加硫後タイヤを取り外し、そのシェーピングユニットＢを再び移載装置によって左右のクランプホーマ５，６間に移動させ、前記のようにしてシェーピングユニットＢにグリーンタイヤＣの中間部材であるタイヤ円筒部材９３とビード部材９５，９５とベルト部材９２を装着させ、シェーピングさせるものである。
又、シェーピングユニットＢから取り外した加硫後タイヤは、図示省略した冷却装置に搬送させるようになっている。
【００４４】
次に、グリーンタイヤＣを構成するための中間部材としてタイヤ円筒部材９１とベルト部材９２を用い、タイヤ円筒部材９１にビード９０，９０とが一体に組み立てられている場合のタイヤシェーピング方法（請求項２に対応する）の第２例を図１４〜図２２の工程図により説明する。
【００４５】
（図１４：ＳＴＥＰ１）
ブラダー４を伸長状態にしたシェーピングユニットＢを加硫機本体Ａから図示省略した移載装置によって左右のクランプホーマ５，６の間に移動させ、左側クランプホーマ５をシェーピングユニットＢの下部クランプリング４１にクランプロッド５１をクランプ溝４６に係合させることで連結させる。
【００４６】
（図１５：ＳＴＥＰ２）
左側クランプホーマ５をシェーピングユニットＢに連結させたのち、シェーピングユニットＢのブラダー４の外周に、別工程で組み立てられたタイヤ円筒部材９１とベルト部材９２を移動させる。
【００４７】
（図１６：ＳＴＥＰ３）
右側クランプホーマ６をシェーピングユニットＢに連結させる。
【００４８】
（図１７：ＳＴＥＰ４）
左右のクランプホーマ５，６に設けたビードロック装置５２，６２によって、タイヤ円筒部材９１のビード９０，９０を内側からロックさせる。
この際、受板７を設けてビード９０，９０が外方に張り出し変形するのを防止するようにしている。
【００４９】
（図１８：ＳＴＥＰ５）
次に、第二ガス流路５４からブラダー４とタイヤ円筒部材９１との間に加圧流体を供給させてタイヤ円筒部材９１を予め膨張させる。
このようにして膨張したタイヤ円筒部材９１は、ベルト部材９２に当接する。
【００５０】
（図１９：ＳＴＥＰ６）
次に、第一ガス流路５３から流体ポート４２を通してブラダー４内にシェーピングガスを供給させると共に、前記第二ガス流路５４から加圧流体を排出させる。
【００５１】
このように、ブラダー４をシェーピングガスによって膨張させる前に、第二ガス流路５４からの加圧流体によって直接的にタイヤ円筒部材９１を予め膨らませておくものである。
これによりブラダー４をタイヤ円筒部材９１の内面に確実に密着させてタイヤ円筒部材９１を均等に膨らませていくことができる。
【００５２】
（図２０：ＳＴＥＰ７）
次に左右のクランプホーマ５，６を回転装置により自転させてベルト部材９２をステッチャー８（円盤状の部材押し当て装置）で押し当てることにより、膨らんだタイヤ円筒部材９１と一体化させながら外形を整えていく。
【００５３】
（図２１：ＳＴＥＰ８）
以上のようにしてタイヤ円筒部材９１とベルト部材９２をシェーピングユニットＢ上でグリーンタイヤＣとして組み立てていきながら同時にシェーピングすることができる。
【００５４】
（図２２：ＳＴＥＰ９）
以後は、ビードロック装置５２，６２を解除させたのち、右側クランプホーマ６をシェーピングユニットＢから分離させ、そのシェーピングユニットＢを移載装置に連結させる。
次に、移載装置によりシェーピングユニットＢを掴んだ状態で、左側クランプホーマ５をシェーピングユニットＢから分離させ、その後、移載装置によりシェーピングユニットＢを加硫機本体Ａに移動させる。
【００５５】
上記タイヤシェーピング方法の第１例では、ＳＴＥＰ５（図９）で第二ガス流路５４からブラダー４とタイヤ円筒部材９３との間に加圧流体を供給させてタイヤ円筒部材９３を予め膨張させ、次に、ＳＴＥＰ６（図１０）で第一ガス流路５３から流体ポート４２を通してブラダー４内にシェーピングガスを供給させると共に、前記第二ガス流路５４から加圧流体を排出させるようになっている。
このように、タイヤ円筒部材９３の膨張工程とブラダー４の膨張工程とに時間差を生じさせると、それだけブラダー４をタイヤ円筒部材９３の内面に密着させるまでの時間が長くなる。
【００５６】
そこで、本発明（請求項３）に対応したタイヤシェーピング方法では、グリーンタイヤのシェーピングに際し、前記第二ガス流路５４からブラダー４とタイヤ円筒部材９３との間に加圧流体を供給させてタイヤ円筒部材９３を膨張させながら、第一ガス流路５３を介してガスポート４２からブラダー４の内部にシェーピングガスを供給させてブラダー４を膨張させるようにした。
【００５７】
即ち、前記タイヤシェーピング方法の第１例におけるＳＴＥＰ５（図９）と、ＳＴＥＰ６（図１０）を同時に行わせるもので、このように、タイヤ円筒部材９３を膨張させながら同時にブラダー４をシェーピングガスによって膨張させていくため、タイヤ円筒部材９３を予め膨張させておいてからブラダー４を膨張させる方法に比べ、ブラダー４をタイヤ円筒部材９３の内面に密着させるまでの時間を短縮させることができる。
【００５８】
なお、本発明（請求項３）に対応したタイヤシェーピング方法は、前記タイヤシェーピング方法の第１例（タイヤ円筒部材９３とビード部材９５とが分かれている場合）及び第２例（タイヤ円筒部材９１にビード９０，９０とが一体に組み立てられている場合）の両方に適用できるのは勿論である。
【符号の説明】
【００５９】
Ａ  加硫機本体
Ｂ  シェーピングユニット
Ｃ  グリーンタイヤ
４  ブラダー
４２  流体ポート
５  左側クランプホーマ
５２  ビードロック装置
５３  第一ガス流路
５４  第二ガス流路
６  右側クランプホーマ
６２  ビードロック装置
９０  ビード（グリーンタイヤ中間部品）
９１  タイヤ円筒部材（グリーンタイヤ中間部品）
９２  ベルト部材（グリーンタイヤ中間部品）
９３  タイヤ円筒部材（グリーンタイヤ中間部品）
９４  ベルト部材（グリーンタイヤ中間部品）
９５  ビード部材（グリーンタイヤ中間部品）
【図１】
2010179561.tif 000003
【図２】
2010179561.tif 000004
【図３】
2010179561.tif 000005
【図４】
2010179561.tif 000006
【図５】
2010179561.tif 000007
【図６】
2010179561.tif 000008
【図７】
2010179561.tif 000009
【図８】
2010179561.tif 000010
【図９】
2010179561.tif 000011
【図１０】
2010179561.tif 000012
【図１１】
2010179561.tif 000013
【図１２】
2010179561.tif 000014
【図１３】
2010179561.tif 000015
【図１４】
2010179561.tif 000016
【図１５】
2010179561.tif 000017
【図１６】
2010179561.tif 000018
【図１７】
2010179561.tif 000019
【図１８】
2010179561.tif 000020
【図１９】
2010179561.tif 000021
【図２０】
2010179561.tif 000022
【図２１】
2010179561.tif 000023
【図２２】
2010179561.tif 000024